(57)【要約】【課題】３次元プリンタを用いて、所望の形状の側面を有する構造物を効率的に形成するための構造物形成システム及び構造物形成方法を提供する。【解決手段】構造物形成システム１０は、構造物を形成するモルタルを吐出するノズル２０、ロボットアーム２５、側面部材３０及び制御装置５０を備えている。このノズル２０の吐出口から、モルタルを下方に吐出させる。ノズル２０は、制御装置５０の制御部５１からの指示に応じて移動するロボットアーム２５に取り付けられている。側面部材３０を、ノズル２０の移動経路から所定間隔だけ離した位置を保ちながら、移動経路に沿って配置する。所定間隔としては、ノズル２０から吐出されたモルタルが、側面部材３０の当接面３０ｓに接触し、下層のモルタル層の端面の隙間を埋めることができる距離を用いる。【選択図】図１
2018069661.tif 000002
【特許請求の範囲】
【請求項１】
移動可能なノズルから吐出されるモルタルを積層させて構造物を形成する構造物形成方法であって、
前記モルタルに接触させる当接面を有した側面部材を、前記構造物の側面に対応する位置に立設させた後、
前記ノズルから前記モルタルを吐出させながら、前記吐出されたモルタルを前記当接面に接触させて水平方向に前記ノズルを移動させることを特徴とする構造物形成方法。
【請求項２】
前記ノズルの中心軸とは異なる中心軸を有した吐出口を有する誘導部材を、前記ノズルの先端に取り付け、前記誘導部材の前記吐出口から前記モルタルを吐出させることを特徴とする請求項１に記載の構造物形成方法。
【請求項３】
モルタルを吐出するノズルを移動させる移動手段を備え、
前記吐出させたモルタルを積層させて構造物を形成する構造物形成システムであって、
前記モルタルに接触させる当接面を有した側面部材と、
前記ノズルから前記モルタルを吐出させながら、前記吐出されたモルタルを前記当接面に接触させて水平方向に前記ノズルを移動させる制御部とを更に備えたことを特徴とする構造物形成システム。
【請求項４】
前記側面部材は、板形状を有しており、
前記当接面は、前記積層されるモルタルが層間の端部の隙間を埋めて側面が平滑となる位置に設置されていることを特徴とする請求項３に記載の構造物形成システム。
【請求項５】
前記ノズルの先端に取り付けられ、前記ノズルの最大径よりも大きい径を有する吐出口を有する拡幅部材を備えていることを特徴とする請求項３又は４に記載の構造物形成システム。
【請求項６】
前記移動手段によって、前記側面部材を前記ノズルとともに移動させ、
前記当接面は、前記ノズルから吐出された最上層の側面と、この最上層の直下の層の側面とに少なくとも接触することを特徴とする請求項３に記載の構造物形成システム。
【発明の詳細な説明】
【技術分野】
【０００１】
本発明は、モルタル等を積層して形成される構造物の構造物形成方法及び構造物形成システムに関する。
【背景技術】
【０００２】
立体の構造物を形成する場合、３次元（３Ｄ）プリンタを利用することがある。この３Ｄプリンタは、ノズルから材料を吐出させながらノズルを移動させて層を形成し、形成した層を徐々に積み重ねることにより立体形状を形成する。更に、各層の形状を変更することにより、複雑な立体形状を形成することもできる。
【０００３】
このような３Ｄプリンタによるコンクリート構造物の設計も検討されている（例えば、非特許文献１参照。）。この非特許文献１においては、連続してモルタルを吐出するノズルを、任意の方向に動かして層を形成し、この層を積み重ねて、構造物を形成する。
【先行技術文献】
【非特許文献】
【０００４】
【非特許文献１】日経アーキテクチュア、「イエイリ建設ＩＴ戦略  住宅を丸ごと３Ｄプリンターで！米大学が工法を開発中」、［online］、［平成２８年９月２８日検索］、インターネット<http://kenplatz.nikkeibp.co.jp/article/it/column/20140120/648249/>
【発明の概要】
【発明が解決しようとする課題】
【０００５】
しかしながら、図５に示すように、３Ｄプリンタによって形成したコンクリート構造物の側面形状には課題がある。ノズル７０から吐出したモルタルの層Ｃ０を積み重ねて構造物を形成する場合、構造物の側面には、筋状の凹凸が形成されていた。このため、側面を平滑に仕上げる場合には、後からコテを用いた作業が必要であった。
【０００６】
本発明は、上記課題に鑑みてなされ、その目的は、３次元プリンタを用いて、所望の形状の側面を有する構造物を効率的に形成するための構造物形成システム及び構造物形成方法を提供することにある。
【課題を解決するための手段】
【０００７】
・上記課題を解決する構造物形成方法は、移動可能なノズルから吐出されるモルタルを積層させて構造物を形成する構造物形成方法であって、前記モルタルに接触させる当接面を有した側面部材を、前記構造物の側面に対応する位置に立設させた後、前記ノズルから前記モルタルを吐出させながら、前記吐出されたモルタルを前記当接面に接触させて水平方向に前記ノズルを移動させる。これにより、積層されるモルタルの側面を、側面部材によって形成するので、所望の形状の側面を有する構造物を効率的に形成することができる。
【０００８】
・上記構造物形成方法において、前記ノズルの中心軸とは異なる中心軸を有した吐出口を有する誘導部材を、前記ノズルの先端に取り付け、前記誘導部材の前記吐出口から前記モルタルを吐出させることが好ましい。これにより、吐出位置を任意の位置に変更することができる。例えば、積層するモルタルの幅（ノズルの移動方向と直交する水平方向の大きさ）が狭い構造物であっても形成することができる。
【０００９】
・上記課題を解決する構造物形成システムは、モルタルを吐出するノズルを移動させる移動手段を備え、前記吐出させたモルタルを積層させて構造物を形成する構造物形成システムであって、前記モルタルに接触させる当接面を有した側面部材と、前記ノズルから前記モルタルを吐出させながら、前記吐出されたモルタルを前記当接面に接触させて水平方向に前記ノズルを移動させる制御部とを更に備える。これにより、積層されるモルタルの側面を、側面部材によって形成するので、所望の形状の側面を有する構造物を効率的に形成することができる。
【００１０】
・上記構造物形成システムにおいて、前記側面部材は、板形状を有しており、前記当接面は、前記積層されるモルタルが層間の端部の隙間を埋めて側面が平滑となる位置に設置されていることが好ましい。これにより、側面部材を適切な位置に配置して、モルタルの側面を平滑にすることができる。
【００１１】
・上記構造物形成システムにおいて、前記ノズルの先端に取り付けられ、前記ノズルの最大径よりも大きい径を有する吐出口を有する拡幅部材を備えていることが好ましい。これにより、ノズルの移動方向と直交する水平方向の大きさ（モルタルの幅）を大きく形成したい場合において、所望の形状の側面を有する構造物を効率的に形成することができる。
【００１２】
・上記構造物形成システムにおいて、前記移動手段によって、前記側面部材を前記ノズルとともに移動させ、前記当接面は、前記ノズルから吐出された最上層の側面と、この最上層の直下の層の側面とに少なくとも接触することが好ましい。これにより、モルタルを吐出する前に側面部材を配置しなくても、所望の形状の側面を有する構造物を効率的に形成することができる。
【発明の効果】
【００１３】
本発明によれば、３次元プリンタを用いて、所望の形状の側面を有する構造物を形成することができる。
【図面の簡単な説明】
【００１４】
【図１】第１実施形態における構造物形成システムの説明図であって、（ａ）は全体の概念図、（ｂ）は要部の拡大正面図、（ｃ）は形成された構造物の一部を示す。
【図２】第２実施形態における構造物形成システムの説明図であって、（ａ）は全体図、（ｂ）は要部の拡大正面図を示す。
【図３】第３実施形態における構造物形成システムの説明図であって、（ａ）は全体図、（ｂ）は要部の拡大正面図を示す。
【図４】変更例における構造物形成システムの要部の説明図であって、（ａ）はノズルに側面部材を取り付けた場合、（ｂ）は側面部材の幅を変更可能に取り付けた場合、（ｃ）は２つの側面部材を揺動可能に取り付けた場合を示す。
【図５】従来技術における構造物形成システムのノズル要部の斜視図。
【発明を実施するための形態】
【００１５】
＜第１の実施形態＞
以下、図１を用いて、構造物形成システム及び構造物形成方法を具体化した第１の実施形態を説明する。本実施形態では、モルタルを吐出するノズルを移動させて形成した層を積み重ねることにより構造物を形成する。
【００１６】
図１（ａ）及び図１（ｂ）は、構造物形成システムの概念図及び要部の拡大正面図である。図１（ｃ）は、構造物形成システム１０によって形成された構造物の側面の一部を示している。
【００１７】
図１（ａ）に示すように、本実施形態の構造物形成システム１０は、ノズル２０、ロボットアーム２５、側面部材３０及び制御装置５０を備えている。
ノズル２０は、その下端部が縮径しており、構造物を形成するモルタルを吐出するため、下端部の先端は開口しており、吐出口を形成している。
【００１８】
ノズル２０の吐出口と反対側の端部には、ホース１５の端部が接続されている。モルタルは、このホース１５に接続されている圧送ポンプ（図示せず）から、ホース１５を介してノズル２０に供給され、ノズル２０の吐出口から下方に吐出される。
【００１９】
ノズル２０には、取付部２１を介して、移動手段としてのロボットアーム２５が取り付けられている。ノズル２０は、このロボットアーム２５の動きに従って水平方向や上下方向に移動する。ロボットアーム２５は、制御装置５０の制御部５１からの指示によって移動が制御される。制御部５１は、移動時においてもノズル２０からのモルタルの吐出方向が常に鉛直方向になるように、ロボットアーム２５を制御する。
【００２０】
制御装置５０は、制御部５１、図示しない入力部及び出力部を備えている。入力部は、キーボードやポインティングデバイス等を備え、形成する構造物に関する情報を制御部５１に供給する。出力部は、ディスプレイ等を備え、入力された情報や形成する構造物の経路等を表示する。
【００２１】
制御部５１は、制御手段（ＣＰＵ、ＲＡＭ、ＲＯＭ等）を備え、構造物形成処理を行なう。そのため、記憶部に格納された構造物形成プログラムを実行することにより、制御部５１は、積層管理部５１１、移動制御部５１２及び吐出量制御部５１３として機能する。
【００２２】
積層管理部５１１は、構造物を形成するために、積層させるモルタルの経路を管理する処理を実行する。
移動制御部５１２は、経路に応じてノズル２０を移動させるロボットアーム２５の動きを制御する処理を実行する。
吐出量制御部５１３は、ノズル２０から吐出するモルタルを圧送するポンプを制御する処理を実行する。
【００２３】
更に、側面部材３０を、形成する構造物の外周位置に立設する。この側面部材３０は、積層するモルタルの側面形状を形成する部材である。側面部材３０は、垂直方向に延在した薄板で構成されており、ノズル２０側の当接面３０ｓは平坦になっている。また、この側面部材３０は、自立して設置させている。本実施形態では、図１（ａ）に示すように、２つの側面部材３０の端部を連結させてＬ字にして自立させている。
【００２４】
図１（ｂ）に示すように、この側面部材３０を、ノズル２０の移動経路から所定間隔だけ離した位置で、移動経路に沿って配置する。更に、所定間隔としては、ノズル２０から吐出されたモルタルが、側面部材３０の当接面３０ｓに接触し、下層のモルタル層の端面の隙間を埋めることができる距離を用いる。例えば、側面部材３０を用いずにモルタルを積層させた場合に、モルタルがほぼ平面状に広がる位置の端部に配置する。
【００２５】
そして、制御部５１の移動制御部５１２は、ロボットアーム２５の移動を制御する。具体的には、移動制御部５１２は、立設された側面部材３０に沿った経路で、側面部材３０の当接面３０ｓに対して、ノズル２０が所定間隔を保った状態で移動させる。この場合、制御部５１の吐出量制御部５１３は、ノズル２０の移動速度に応じた吐出量で、ノズル２０にモルタルを供給する。
【００２６】
そして、ノズル２０からモルタルを吐出させながら、移動経路に沿ってロボットアーム２５を移動させて、モルタル層Ｌ１を生成する。そして、１つのモルタル層Ｌ１の生成が終了した場合、そのモルタル層Ｌ１に積み重ねるように、ノズル２０からモルタルを吐出させながら、移動経路に沿ってロボットアーム２５を移動させて新たなモルタル層Ｌ１を生成する。このことを繰り返して、構造物を形成する。そして、構造物ができた後、側面部材３０を取り除くと、図１（ｃ）に示すように、構造物の外側面が平坦になっている。
【００２７】
本実施形態によれば、以下のような効果を得ることができる。
（１）本実施形態では、制御部５１は、側面部材３０の当接面３０ｓに対して、ノズル２０が所定間隔を保った状態で移動させる。所定間隔としては、ノズル２０から吐出されたモルタルが、側面部材３０の当接面３０ｓに接触し、下層のモルタル層の端面の隙間を埋めることができる距離を用いる。これにより、ノズル２０から吐出されたモルタルは側面部材３０の当接面３０ｓに接触して、構造物の外側面が平坦化される。
【００２８】
（２）本実施形態では、制御部５１は、ノズル２０を移動させるロボットアーム２５を、移動時にノズル２０の吐出口が形成されている下面が傾斜しない姿勢を維持するように制御される。これにより、モルタルの吐出方向を考慮して側面部材３０を立設することができる。
【００２９】
（３）本実施形態では、複数の側面部材３０を、連結させることにより自立して配置している。これにより、コーナーを有する構造物において、側面部材３０を簡単に配置することができる。
【００３０】
＜第２の実施形態＞
次に、図２を用いて、第２の実施形態を説明する。第１実施形態では、ノズル２０の直下にモルタルを吐出した。本実施形態では、ノズル２０の移動方向と直交する水平方向の大きさ（モルタルの幅）が第１実施形態における大きさよりも大きくなるように吐出させる。なお、本実施形態において、上記実施形態と同様な部分は、同一の符号を付し、その詳細な説明は省略する。
【００３１】
図２（ａ）に示すように、本実施形態の構造物形成システム１０では、ノズル２０の先端に、拡幅部材Ｎ１を取り付ける。この拡幅部材Ｎ１は、中空の円錐台形状をしている。拡幅部材Ｎ１の上面開口部は、ノズル２０に嵌合可能な径で構成される。拡幅部材Ｎ１の下面開口部（吐出口）の直径Ｄ１は、ノズル２０の吐出口の径や最大径Ｄ０よりも大きくなっている。本実施形態では、この拡幅部材Ｎ１からモルタルを吐出してモルタル層Ｌ２を形成する。このため、上記第１実施形態のノズル２０の幅（ノズル２０の移動方向と直交する水平方向の大きさ）よりも大きい幅でモルタルを吐出する。
【００３２】
図２（ｂ）に示すように、本実施形態においても、上記実施形態と同様に、側面部材３０を、ノズル２０の移動経路から所定間隔だけ離した位置で、移動経路に沿って配置する。
【００３３】
本実施形態によれば、上記（１）〜（３）に記載の効果と同様な効果に加えて、以下のような効果を得ることができる。
（４）本実施形態では、モルタルを吐出するノズル２０の先端に、着脱可能に拡幅部材Ｎ１を取り付ける。この拡幅部材Ｎ１の吐出口の直径Ｄ１は、ノズル２０の最大径Ｄ０よりも大きい。これにより、モルタル幅が広く、平坦な側面を有する構造物を形成することができる。
【００３４】
＜第３の実施形態＞
次に、図３を用いて、第３の実施形態を説明する。本実施形態においては、モルタル幅が第１実施形態におけるモルタル幅よりも狭くなるように吐出させる。なお、本実施形態において、上記実施形態と同様な部分は、同一の符号を付し、その詳細な説明は省略する。
【００３５】
図３（ａ）に示すように、本実施形態の構造物形成システム１０では、ノズル２０の先端に、誘導部材Ｎ２が取り付けられている。
図３（ｂ）に示すように、誘導部材Ｎ２は、下面開口部（吐出口）の中心軸Ｃn1が、ノズル２０の中心軸Ｃn0よりも側面部材３０側となるように屈曲している。誘導部材Ｎ２の上面開口部は、ノズル２０に嵌合可能になっている。本実施形態では、この誘導部材Ｎ２からモルタルを吐出するので、上記第１実施形態のノズル２０よりも狭い幅でモルタルを吐出してモルタル層Ｌ３を形成する。
【００３６】
図３（ｂ）に示すように、本実施形態においても、上記実施形態と同様に、側面部材３０を、ノズル２０の移動経路から所定間隔だけ離した位置を保ちながら、移動経路に沿って配置する。
【００３７】
本実施形態によれば、上記（１）〜（３）に記載の効果と同様な効果に加えて、以下のような効果を得ることができる。
（５）本実施形態では、モルタルを吐出するノズル２０の先端に、誘導部材Ｎ２を着脱可能に取り付ける。この誘導部材Ｎ２は、下面開口部（吐出口）の中心軸Ｃn1が、ノズル２０の中心軸Ｃn0よりも外側となるように屈曲している。これにより、ノズル２０から吐出されるモルタルを所望の位置に誘導することができる。例えば、モルタル幅が狭く、平坦な側面を有する構造物を形成することができる。
【００３８】
また、上記各実施形態は、以下のように変更してもよい。
・上記各実施形態においては、ノズル２０の移動経路から所定間隔だけ離した位置に、側面部材３０を立設した。側面部材３０は、移動経路から所定間隔だけ離した位置にあればよく、立設する場合に限定されない。例えば、ノズル２０とともに移動させる構成としてもよい。
【００３９】
具体的には、図４（ａ）に示すように、ノズル２０の側部に側面部材４０を取り付ける。この側面部材４０は、鉛直方向に、ノズル２０から吐出したモルタルが形成する上層Ｌ４の直下層Ｌ５まで延在する長さを有する。更に、この側面部材４０は、そのノズル２０側の当接面４０ｓが、上記実施形態と同様に、ノズル２０に対して所定間隔だけ離した位置に取り付ける。この所定間隔は、ノズル２０から吐出されたモルタルが接触し、上層Ｌ４と直下層Ｌ５との端面の隙間を埋めることができる距離を用いる。これにより、側面部材４０の位置を、ノズル２０に対して決定するので、自由にノズルの経路を定めることができる。例えば、構造物の形成を開始した途中で側面部材４０の位置を変更することもできる。
【００４０】
更に、この場合、側面部材４０を上下方向に昇降させる昇降装置をノズル２０に取り付けてもよい。この場合、当接面の大きさや形状に応じて、側面部材４０を上下させることができる。例えば、ノズル２０が積層するモルタル同士を連結する部分等、側面を形成しない位置に至った場合には、側面部材４０を上昇させることにより、側面部材４０が、構造物の形成に邪魔にならない構成にすることができる。
なお、ノズル２０とともに移動する側面部材４０を、ノズル２０に直接取り付ける代わりに、拡幅部材Ｎ１や誘導部材Ｎ２に取り付けてもよい。
【００４１】
また、図４（ｂ）に示すように、ノズル２０の両側に側面部材４５，４６を取り付けてもよい。この場合、側面部材４５，４６の間隔を調整できるようにしてもよい。制御部５１は、モルタルの吐出量を変更してモルタルの幅を変更する。この場合、モルタルの端部から所定間隔だけ離した位置に、側面部材４５，４６を配置することができる。
【００４２】
更に、側面部材４５，４６の間隔を自由に変更可能としてもよい。例えば、側面部材４５，４６を、自由に摺動可能とし、吐出されたモルタルの圧力により側面部材４５，４６が押し広げられるようにして、側面部材４５，４６の間隔が変更されるような構成にしてもよい。この場合、モルタルの端部において、押圧力が低下するので、端部の広がりを抑制して平坦化できる。
【００４３】
また、図４（ｃ）に示すように、側面部材４７，４８を、上端部の取付位置を中心にして揺動可能に取り付けてもよい。これにより、高さに応じてモルタルの吐出位置をノズル側に移動させて、傾斜した外側面を有する構造物において、側面部材４７，４８が外側面に当接するので、傾斜した外形側面を平坦にすることもできる。
【００４４】
・上記各実施形態においては、側面部材３０を立設したが、側面部材３０を、ノズル２０の移動とは別に可動させてもよい。例えば、側面部材３０を、モルタルの硬化状態や積層状態に応じて上昇させてもよい。
【００４５】
具体的には、構造物の半分程度の高さの側面部材３０を用いる。この側面部材３０を、高さ方向に延在するガイドレールに、上下方向に可能に取り付ける。最初、側面部材３０を設置面に立設して、側面部材３０の上端近傍までモルタルを積層した場合には、側面部材３０を、ガイドレールに沿って、形成する構造物の中央高さ程度まで上昇させて固定し、モルタルを積層する。そして、中央高さ程度に固定した側面部材３０の上端近傍までモルタルを積層した場合には、再び、側面部材３０を上昇させて、側面部材の上面が構造物の高さ以上となる位置で固定し、モルタルを積層する。これにより、高い構造物を形成する場合において、構造物の全体高さよりも背の低い側面部材を用いることができる。
【００４６】
・上記各実施形態においては、平坦な薄板で構成される側面部材３０を用いた。側面部材３０のノズル２０側の当接面３０ｓは、平坦に限られず、例えば、構造体の所望の側面の形状に応じた形状が形成されていてもよい。これにより、平坦以外であっても、効率よく所望の側面の形状を形成することができる。
【００４７】
また、側面部材３０は、水平方向に直線状に延びる薄板形状に限られず、水平方向に屈曲した当接面を有する形状であってもよい。この場合、側面部材３０の当接面の形状にノズル２０が完全に沿うように移動しなくても、モルタルが当接面に接触することにより、当接面に沿った形状の側面を有する構造物を形成することができる。
【符号の説明】
【００４８】
Ｌ１，Ｌ２，Ｌ３…モルタル層、Ｌ４…上層、Ｌ５…直下層、Ｎ１…拡幅部材、Ｎ２…誘導部材、Ｃn0，Ｃn1…中心軸、１０…構造物形成システム、２０…ノズル、２１…取付部、２５…ロボットアーム、３０，４０，４５，４６，４７，４８…側面部材、３０ｓ，４０ｓ…当接面、５０…制御装置、５１…制御部、５１１…積層管理部、５１２…移動制御部、５１３…吐出量制御部。
【図１】
2018069661.tif 000003
【図２】
2018069661.tif 000004
【図３】
2018069661.tif 000005
【図４】
2018069661.tif 000006
【図５】
2018069661.tif 000007